(57)【要約】【課題】広帯域信号を測定する際に正確な電力を測定することができるスペクトルアナライザを提供すること。【解決手段】周波数特性補正部１４は、等化器３０と、等化器３０の等化係数を格納する等化係数格納部３１とを有し、検波部１５は、周波数変換部１２固有の周波数特性を補正するための補正用基準信号が周波数変換部１２に入力されたことを条件として、周波数特性が補正されたディジタル信号を検波し、制御部１７は、測定対象の周波数帯の中心周波数に対して、検波部１５によるディジタル信号の検波結果に基づいた等化係数を等化係数格納部３１に格納する。【選択図】図１
2012198115.tif 000002
【特許請求の範囲】
【請求項１】
入力信号から測定対象の周波数帯の信号を抽出し、特定の中間周波数帯の信号に周波数変換する周波数変換部と、
前記測定対象の周波数帯の中心周波数を制御する制御部と、
前記周波数変換部によって周波数変換された信号をディジタル信号に変換するアナログディジタル変換器と、
前記ディジタル信号の周波数特性を補正する周波数特性補正部と、
前記周波数特性が補正された信号を検波する検波部と、を備えたスペクトルアナライザにおいて、
前記周波数特性補正部は、等化器と、前記等化器の等化係数を格納する等化係数格納部とを有し、
前記検波部は、前記周波数変換部固有の周波数特性を補正するための補正用基準信号が前記周波数変換部に入力されたことを条件として、前記ディジタル信号を検波し、
前記制御部は、前記測定対象の周波数帯の中心周波数に対して、前記検波部による前記ディジタル信号の検波結果に基づいた等化係数を前記等化係数格納部に格納することを特徴とするスペクトルアナライザ。
【請求項２】
前記制御部は、前記等化器の周波数特性が前記周波数変換部の伝達関数の逆特性となる等化係数を前記等化係数格納部に格納することを特徴とする請求項１に記載のスペクトルアナライザ。
【請求項３】
前記補正用基準信号を生成する補正用基準信号生成部を備えたことを特徴とする請求項１または請求項２に記載のスペクトルアナライザ。
【請求項４】
前記補正用基準信号生成部は、前記補正用基準信号としてインパルスを生成することを特徴とする請求項３に記載のスペクトルアナライザ。
【請求項５】
前記補正用基準信号生成部は、前記測定対象の周波数帯内で前記測定対象の周波数帯の中心周波数近傍の周波数を有する信号で、１／ＲＢＷよりも十分短いパルス信号を変調した信号を前記補正用基準信号として生成することを特徴とする請求項３に記載のスペクトルアナライザ。
【請求項６】
入力信号から測定対象の周波数帯の信号を抽出し、特定の中間周波数帯の信号に周波数変換する周波数変換部と、
前記測定対象の周波数帯の中心周波数を制御する制御部と、
前記周波数変換部によって周波数変換された信号をディジタル信号に変換するアナログディジタル変換器と、
前記ディジタル信号の周波数特性を補正する周波数特性補正部と、
前記周波数特性が補正された信号を検波する検波部と、を備えたスペクトルアナライザの周波数特性補正方法において、
前記周波数特性補正部が、等化器と、前記等化器の等化係数を格納する等化係数格納部とを有し、
前記検波部が、前記周波数変換部固有の周波数特性を補正するための補正用基準信号が前記周波数変換部に入力されたことを条件として、前記ディジタル信号を検波するステップと、
前記制御部が、前記測定対象の周波数帯の中心周波数に対して、前記検波部による前記ディジタル信号の検波結果に基づいた等化係数を前記等化係数格納部に格納するステップと、を有することを特徴とする周波数特性補正方法。
【発明の詳細な説明】
【技術分野】
【０００１】
本発明は、スーパーヘテロダイン方式のスペクトルアナライザおよびその周波数特性補正方法に関する。
【背景技術】
【０００２】
従来のスーパーヘテロダイン方式のスペクトルアナライザとしては、入力信号から測定対象の周波数帯の信号を抽出し、特定の中間周波数帯の信号に周波数変換する周波数変換部と、測定対象の周波数帯を制御する制御部と、周波数変換部によって周波数変換された信号をディジタル信号に変換するアナログディジタル変換器と、ディジタル信号の周波数特性を補正する周波数特性補正部と、周波数特性が補正された信号を検波する検波部とを備えたものが知られている（例えば、特許文献１参照）。
【０００３】
この従来のスペクトルアナライザは、周波数が既知の正弦波信号を周波数変換部に入力したときの検波結果が、各周波数において一定になるように補正量を算出し、算出した補正量を周波数毎に周波数特性補正部に設定することにより、周波数変換部固有の周波数特性を補正するようになっている。
【０００４】
従来のスペクトルアナライザは、各周波数において検出される中心周波数の電力に基づいて各周波数の補正量を算出するようになっている。これは、周波数変換部固有の周波数特性と、検波部を構成する測定フィルタの周波数特性とによって定まる検波特性が、規定の分解能帯域幅（Resolution Band Width、以下、「ＲＢＷ」という）を有する正確なガウシアン特性であることを前提としている。
【０００５】
ここで、正弦波信号が周波数変換部に入力されたときには、検波特性が正確なガウシアン特性でなくとも、検出される中心周波数における電力で検波特性を補正することができる。しかしながら、広帯域信号が周波数変換部に入力されたときには、以下に説明するように、検波特性が正確なガウシアン特性であるときと異なる結果が得られることがある。
【０００６】
一般に、スペクトルアナライザの測定フィルタの周波数特性は、ガウシアンカーブで近似することになっている（以下、測定フィルタを「ガウシアンフィルタ」ともいう）、ＲＢＷは、ガウシアンフィルタの３ｄＢ減衰点における通過帯域幅のことをいう。なお、規格によっては、ガウシアンフィルタの６ｄＢ減衰点における通過帯域幅をＲＢＷと呼ぶこともある。
【０００７】
近年のスペクトルアナライザでガウシアンフィルタを近似できる精度は、ＲＢＷ≦３ＭＨｚといわれている。３ＭＨｚより広いＲＢＷを実現できるスペクトルアナライザもあるが、ＲＢＷが一致しても、減衰カーブがガウシアンカーブと一致せず、例えば６０ｄＢ減衰点において、理想ガウシアンカーブの帯域幅（ＲＢＷの約４．５倍）よりも狭くなっている場合が多い。
【０００８】
これは、スペクトルアナライザの内部回路に用いられている帯域通過フィルタ、特に、準マイクロ波帯スペクトルアナライザの入力段に使用されるＹＩＧ（Yttrium Iron Garnet）同調バンドパスフィルタ（ＹＩＧ Tuned Filter、以下、「ＹＴＦ」という）の特性によって制限されてしまうためである。
【０００９】
また、従来のスペクトルアナライザの用途において、通常、ＲＢＷが狭い方が、より周波数分解能が高い測定ができるため、ＲＢＷ＞３ＭＨｚで高い精度を有するガウシアンフィルタが要求されることは、ほとんどなかった。
【００１０】
しかしながら、近年、広帯域変調信号や広帯域雑音の解析に、広いＲＢＷで高い精度のガウシアンフィルタが要求されるようになってきた。例えば、ＵＷＢ（Ultra Wide Band）と呼ばれる広帯域通信において、非特許文献１には、車載レーダシステムの技術的条件が規定され、２２〜２９ＧＨｚでシステムから放射される尖頭電力値が０ｄＢ／５０ＭＨｚ以下に義務付けられている。
【００１１】
これは、ＲＢＷ＝５０ＭＨｚのガウシアンフィルタで検出したときの電力が０ｄＢ以下であることで検証することができるが、前述したように、ＲＢＷ＝５０ＭＨｚで正確なガウシアンフィルタの特性を有するスペクトルアナライザが存在しないため、ＲＢＷ＝１ＭＨｚやＲＢＷ＝３ＭＨｚのガウシアンフィルタで測定した電力を換算式（例えば、非特許文献２参照）を用いて、ＲＢＷ＝５０ＭＨｚ相当の電力が算出されている。
【００１２】
しかしながら、換算式を用いて算出された電力は、ＵＷＢの変調方式に依存して、換算誤差が生じる可能性があるため、ＲＢＷ＝５０ＭＨｚを直接に測定することが望まれてきている。なお、このような放射電力は、通常、スペクトルアナライザをゼロスパンモードに設定（測定周波数を固定）し、特定の中心周波数で測定される。
【００１３】
ＲＢＷ＝５０ＭＨｚのガウシアンフィルタを６０ｄＢ減衰点まで精度よく近似するには、２２４ＭＨｚの解析帯域が必要になる。この場合には、周波数変換部の帯域幅を２２４ＭＨｚ以上に広くする必要があり、周波数変換部の帯域幅がこれだけ広帯域になると、帯域内の周波数特性を完全に平坦にすることは難しく、通常は、数１０ＭＨｚ周期でリップルが生じてしまう。
【００１４】
スペクトルアナライザの通過特性は、周波数変換部の通過特性と検波部の通過特性との畳み込みからなるため、上述したようなリップルが生じた場合には、検波部で精度よくガウシアン特性を実現しても、検波特性がガウシアン特性から逸脱してしまうことになる。
【００１５】
すなわち、図５に示すように、ＲＢＷ＝３ＭＨｚのガウシアンフィルタにおいては、リップル周期に対してＲＢＷが狭くなるため、周波数変換部の周波数特性｜Ｇ（ｆ）｜は、ほぼ一定とみなすことができる。したがって、測定フィルタの周波数特性｜Ｈ（ｆ）｜で検波した電力を中心周波数ｆ０において補正すれば、各周波数に渡って、周波数変換部の周波数特性｜Ｇ（ｆ）｜を正確に補正することができる。
【００１６】
一方、ＲＢＷ＝５０ＭＨｚのガウシアンフィルタにおいては、リップル周期に対してＲＢＷが広くなるため、周波数変換部の周波数特性｜Ｇ（ｆ）｜は、一定とみなすことができなくなる。したがって、測定フィルタの周波数特性｜Ｈ（ｆ）｜で検波した電力を中心周波数ｆ０において補正したとしても、各周波数に渡って、周波数変換部の周波数特性｜Ｇ（ｆ）｜を正確に補正することができなくなる。
【先行技術文献】
【特許文献】
【００１７】
【特許文献１】特開平８−１３６５９３号公報（図３）
【非特許文献】
【００１８】
【非特許文献１】ＦＦＣ規則（Part 15, Subpart F, Section 15.515）
【非特許文献２】ＩＴＵ−Ｒ勧告  ＳＭ．１７５４
【発明の概要】
【発明が解決しようとする課題】
【００１９】
以上のように、従来のスペクトルアナライザは、広いＲＢＷが設定された場合に、周波数変換部の周波数特性を一定に補正することができないため、広帯域信号を測定する際に正確な電力を測定することができないといった課題があった。
【００２０】
本発明は、このような課題を解決するためになされたもので、広帯域信号を測定する際に正確な電力を測定することができるスペクトルアナライザおよびその周波数特性補正方法を提供することを目的とする。
【課題を解決するための手段】
【００２１】
本発明のスペクトルアナライザは、入力信号から測定対象の周波数帯の信号を抽出し、特定の中間周波数帯の信号に周波数変換する周波数変換部と、前記測定対象の周波数帯の中心周波数を制御する制御部と、前記周波数変換部によって周波数変換された信号をディジタル信号に変換するアナログディジタル変換器と、前記ディジタル信号の周波数特性を補正する周波数特性補正部と、前記周波数特性が補正された信号を検波する検波部と、を備えたスペクトルアナライザにおいて、前記周波数特性補正部は、等化器と、前記等化器の等化係数を格納する等化係数格納部とを有し、前記検波部は、前記周波数変換部固有の周波数特性を補正するための補正用基準信号が前記周波数変換部に入力されたことを条件として、前記ディジタル信号を検波し、前記制御部は、前記測定対象の周波数帯の中心周波数に対して、前記検波部による前記ディジタル信号の検波結果に基づいた等化係数を前記等化係数格納部に格納するように構成されている。
【００２２】
この構成により、本発明のスペクトルアナライザは、測定対象の周波数帯の中心周波数に対して、周波数変換部固有の周波数特性を等化器によって補正するため、広帯域信号を測定する際に正確な電力を測定することができる。
【００２３】
なお、前記制御部は、前記等化器の周波数特性が前記周波数変換部の伝達関数の逆特性となる等化係数を前記等化係数格納部に格納するようにしてもよい。
【００２４】
この構成により、本発明のスペクトルアナライザは、各測定周波数に対して、周波数変換部固有の周波数特性を一定に補正することができる。
【００２５】
また、本発明のスペクトルアナライザは、前記補正用基準信号を生成する補正用基準信号生成部を備えるようにしてもよい。
【００２６】
この構成により、本発明のスペクトルアナライザは、補正用基準信号を外部装置から得ることなく、周波数変換部固有の周波数特性を補正することができる。
【００２７】
また、前記補正用基準信号生成部は、前記補正用基準信号としてインパルスを生成するようにしてもよい。
【００２８】
この構成により、本発明のスペクトルアナライザは、インパルスを補正用基準信号として適用することができる。
【００２９】
また、前記補正用基準信号生成部は、前記測定対象の周波数帯内で前記測定対象の周波数帯の中心周波数近傍の周波数を有する信号で１／ＲＢＷよりも十分短いパルス信号を変調した信号を前記補正用基準信号として生成するようにしてもよい。
【００３０】
この構成により、本発明のスペクトルアナライザは、測定対象の周波数帯の中心周波数近傍の周波数を有する信号で、１／ＲＢＷよりも十分短いパルス信号を変調した信号を補正用基準信号として適用することができる。
【００３１】
また、本発明の周波数特性補正方法は、入力信号から測定対象の周波数帯の信号を抽出し、特定の中間周波数帯の信号に周波数変換する周波数変換部と、前記測定対象の周波数帯の中心周波数を制御する制御部と、前記周波数変換部によって周波数変換された信号をディジタル信号に変換するアナログディジタル変換器と、前記ディジタル信号の周波数特性を補正する周波数特性補正部と、前記周波数特性が補正された信号を検波する検波部と、を備えたスペクトルアナライザの周波数特性補正方法において、前記周波数特性補正部が、等化器と、前記等化器の等化係数を格納する等化係数格納部とを有し、前記検波部が、前記周波数変換部固有の周波数特性を補正するための補正用基準信号が前記周波数変換部に入力されたことを条件として、前記ディジタル信号を検波するステップと、前記制御部が、前記測定対象の周波数帯の中心周波数に対して、前記検波部による前記ディジタル信号の検波結果に基づいた等化係数を前記等化係数格納部に格納するステップと、を有する。
【００３２】
したがって、本発明の周波数特性補正方法は、測定対象の周波数帯の中心周波数に対して、周波数変換部固有の周波数特性を等化器によって補正するため、広帯域信号を測定する際に正確な電力を測定することができる。
【発明の効果】
【００３３】
本発明は、広帯域信号を測定する際に正確な電力を測定することができるスペクトルアナライザおよびその周波数特性補正方法を提供することができる。
【図面の簡単な説明】
【００３４】
【図１】本発明の実施の形態に係るスペクトルアナライザのブロック図である。
【図２】本発明の実施の形態に係るスペクトルアナライザの補正係数算出動作を示すフローチャートである。
【図３】本発明の実施の形態に係るスペクトルアナライザの補正係数算出動作における応答係数系列の算出処理を説明するために概念図である。
【図４】本発明の実施の形態に係るスペクトルアナライザの信号解析動作を示すフローチャートである。
【図５】従来のスペクトルアナライザに広いＲＢＷが設定された場合の周波数変換部の周波数特性と、測定フィルタの周波数特性との関係を示す概念図である。
【発明を実施するための形態】
【００３５】
以下、本発明の実施の形態について、図面を参照して説明する。
【００３６】
図１に示すように、本発明の実施の形態に係るスペクトルアナライザ１は、インパルスを生成する補正用基準信号生成部１０と、スイッチ１１と、高周波信号をダウンコンバートする周波数変換部１２と、ダウンコンバートされたアナログの中間周波数の信号をディジタル信号に変換するアナログディジタル変換器（以下、「ＡＤＣ」という。）１３と、周波数変換部１２の周波数特性に応じてディジタル信号を補正する周波数特性補正部１４と、検波部１５と、スイッチ１６と、スペクトルアナライザ１の各部を制御する制御部１７と、液晶ディスプレイ等よりなる表示部１８と、キーボード装置やポインティングデバイスよりなる入力部１９とを備えている。
【００３７】
補正用基準信号生成部１０は、制御部１７によって制御され、測定する帯域の中心周波数（以下、単に「測定中心周波数」という）の逆数より十分に狭い幅のパルスを生成するようになっている。
【００３８】
スペクトルアナライザ１は、周波数変換部１２固有の周波数特性を補正するための補正係数を算出する補正係数算出モードと、被試験信号を信号解析する信号解析モードとの２つのモードをとる。
【００３９】
スイッチ１１は、補正用基準信号生成部１０に接続された端子Ｓ１と、被試験信号が入力される入力端子Ｔに接続された端子Ｓ２と、周波数変換部１２に接続された端子Ｓ３とを有している。
【００４０】
スイッチ１１は、制御部１７によって制御され、スペクトルアナライザ１が補正係数算出モードをとる場合には、端子Ｓ１と端子Ｓ３とが接続され、スペクトルアナライザ１が信号解析モードをとる場合には、端子Ｓ２と端子Ｓ３とが接続されるようになっている。
【００４１】
周波数変換部１２は、減衰器２０と、プリセレクタ２１と、周波数が可変の正弦波信号を生成する発振器２２と、プリセレクタ２１を通過した信号に発振器２２によって生成された信号をミキシングするミキサ２３と、ローパスフィルタ（Low Pass Filter、以下、「ＬＰＦ」という）２４と、周波数が一定の正弦波信号を生成する発振器２５と、ミキサ２６と、ＬＰＦ２７と、を有する。
【００４２】
プリセレクタ２１は、ＹＴＦによって構成され、制御部１７によって指定された帯域の信号を通過させるようになっている。また、発振器２２は、制御部１７によって指定された周波数の正弦波信号を生成するようになっている。
【００４３】
ミキサ２３は、プリセレクタ２１を通過した信号と、発振器２２によって生成された正弦波信号とをミキシングするようになっている。また、ＬＰＦ２４は、ミキサ２３によるミキシング結果の高周波側の成分を除去するようになっている。
【００４４】
ここで、制御部１７は、プリセレクタ２１に通過させる帯域を変化させる一方で、ＬＰＦ２４によって高周波側の成分が除去されたミキシング結果の中心周波数が一定になるように、発振器２２に生成させる正弦波信号の周波数を制御するようになっている。このため、ＬＰＦ２４を通過した信号は、中心周波数が一定の中間周波数の信号となる。
【００４５】
すなわち、発振器２２、ミキサ２３およびＬＰＦ２４は、高周波信号を中心周波数が一定の第１中間周波数信号にダウンコンバートする第１ダウンコンバータを構成する。
【００４６】
ミキサ２６は、ＬＰＦ２４を通過した信号と、発振器２５によって生成された正弦波信号とをミキシングするようになっている。また、ＬＰＦ２７は、ミキサ２６によるミキシング結果の高周波側の成分を除去するようになっている。
【００４７】
すなわち、発振器２５、ミキサ２６およびＬＰＦ２７は、第１中間周波数信号を第２中間周波数信号にダウンコンバートする第２ダウンコンバータを構成する。
【００４８】
周波数特性補正部１４は、等化器３０と、等化器３０の等化係数を格納する等化係数格納部３１とを有している。等化器３０は、ディジタルフィルタによって構成され、本実施の形態においては、複数のタップよりなるＦＩＲ（Finite Impulse Response）フィルタによって構成される。
【００４９】
等化係数格納部３１は、ＲＡＭ（Random Access Memory）やフラッシュメモリ等の記憶媒体によって構成される。等化係数格納部３１には、各中心周波数に対して、等化器３０を構成するＦＩＲフィルタの各タップの係数が格納されるようになっている。
【００５０】
検波部１５は、ガウシアンフィルタによって構成され、本実施の形態において、ガウシアンフィルタは、ＦＩＲフィルタによって構成される。また、本実施の形態において、検波部１５を構成するガウシアンフィルタは、ＲＢＷ＝５０ＭＨｚのガウシアンフィルタを少なくとも６０ｄＢ減衰点まで近似するように構成されている。
【００５１】
スイッチ１６は、ＡＤＣ１３に接続された端子Ｓ１と、周波数特性補正部１４の等化器３０に接続された端子Ｓ２と、検波部１５に接続された端子Ｓ３とを有している。なお、スイッチ１６の各端子間は、スイッチ１１の各端子間と同様に接続される。
【００５２】
すなわち、スイッチ１６は、制御部１７によって制御され、スペクトルアナライザ１が補正係数算出モードをとる場合には、端子Ｓ１と端子Ｓ３とが接続され、スペクトルアナライザ１が信号解析モードをとる場合には、端子Ｓ２と端子Ｓ３とが接続されるようになっている。
【００５３】
制御部１７は、ＣＰＵ（Central Processing Unit）等のプロセッサによって構成され、入力部１９等による指定に応じたスペクトルアナライザ１のモードの設定、入力部１９等によって指定された測定中心周波数の設定、等化器３０の等化係数の算出、等化器３０の等化係数の設定、検波部１５による検波結果の表示等、スペクトルアナライザ１の各部を制御するようになっている。
【００５４】
以上のように構成されたスペクトルアナライザ１の動作を図面を参照して説明する。図２は、スペクトルアナライザ１の補正係数算出モードにおける補正係数算出動作を示している。
【００５５】
まず、プリセレクタ２１の通過帯域と、発振器２２に発生させる信号の周波数とが、入力部１９等によって指定された測定中心周波数に応じて、制御部１７によって設定され（ステップＳ１）、制御部１７によって制御された補正用基準信号生成部１０によってインパルスが生成される（ステップＳ２）。
【００５６】
次に、ＡＤＣ１３から出力されるインパルス応答系列ｘ（ｋ）が、制御部１７に取得される（ステップＳ３）。ここで、ｋ＝｛０，１，２，・・・，Ｍ−１｝とし、本実施の形態においては、Ｍ＝１０２４とする。
【００５７】
次に、制御部１７によって、インパルス応答系列ｘ（ｋ）の離散フーリエ変換（Discrete Fourier Transform、「ＤＦＴ」ともいう）が実行され、周波数変換部１２の伝達関数Ｇ（ｆ）が算出される（ステップＳ４）。ここで、Ｇ（ｆ）の振幅特性を｜Ｇ（ｆ）｜とし、群遅延特性をτ（ｆ）とし、Ｇ（ｆ）の逆特性Ｇ−１（ｆ）の振幅特性を１／｜Ｇ（ｆ）｜とし、群遅延特性を−τ（ｆ）として、図３に示すように、制御部１７によって｜Ｇ−１（ｆ）｜と−τ（ｆ）とに逆離散フーリエ変換（Inverse Discrete Fourier Transform、「ＩＤＦＴ」ともいう）が施されることにより、応答係数系列ｙ（ｋ）が算出される（ステップＳ５）。
【００５８】
このように算出された応答係数系列ｙ（ｋ）が、等化器３０の等化係数になるが、応答係数系列ｙ（ｋ）は、制御部１７によって、必要に応じて窓関数が乗じられて切り出される（ステップＳ６）。なお、本実施の形態において、制御部１７は、１０２４個の等化係数を１００個に切り出す。
【００５９】
次に、応答係数系列ｙ（ｋ）が等化係数として制御部１７によって等化係数格納部３１に格納され（ステップＳ７）、補正係数算出動作は終了する。なお、複数の中心周波数に対する等化係数を等化係数格納部３１に格納する場合には、制御部１７によって測定中心周波数が変更されて、補正係数算出動作が再度実行される。
【００６０】
図４は、スペクトルアナライザ１の信号解析モードにおける信号解析動作を示している。
【００６１】
まず、プリセレクタ２１の通過帯域と、発振器２２に発生させる信号の周波数とが、入力部１９等によって指定された測定中心周波数に応じて、制御部１７によって設定される（ステップＳ１１）。
【００６２】
また、等化係数格納部３１に格納された等化係数のなかから、測定中心周波数に対応する等化係数が制御部１７によって等化器３０に設定される（ステップＳ１２）。ここで、測定中心周波数に応じた等化係数が等化係数格納部３１に格納されていない場合には、補正係数算出動作を実行するようにしてもよい。
【００６３】
この状態で、被試験信号が入力端子Ｔから入力されると、被試験信号は、周波数変換部１２によって周波数変換され（ステップＳ１３）、ＡＤＣ１３によってディジタル信号に変換され（ステップＳ１４）、周波数特性補正部１４によって周波数特性が補正され（ステップＳ１５）、検波部１５によって検波される（ステップＳ１６）。
【００６４】
そして、検波結果が表示部１８に表示され（ステップＳ１７）、信号解析動作は終了する。なお、複数の中心周波数に対する解析を行う場合には、制御部１７によって測定中心周波数が変更されて、信号解析動作が再度実行される。
【００６５】
以上に説明したように、本発明の実施の形態のスペクトルアナライザ１は、測定対象の周波数帯の中心周波数に対して、周波数変換部１２固有の周波数特性を等化器３０によって補正するため、広帯域信号を測定する際に正確な電力を測定することができる。
【００６６】
なお、本実施の形態のように、周波数特性補正部１４および検波部１５が共にＦＩＲフィルタによって構成される場合には、これらの係数を畳み込むことによって、一系統のＦＩＲフィルタによって周波数特性補正部１４および検波部１５を構成してもよい。
【００６７】
この場合には、ＦＩＲフィルタを構成するＦＰＧＡ（Field-Programmable Gate Array）やＡＳＩＣ（Application Specific Integrated Circuit）等の回路に搭載するリソースを低減することができる。
【００６８】
また、本実施の形態において、補正用基準信号生成部１０は、インパルスを生成するものとして説明したが、本発明においては、測定対象の周波数帯内で測定対象の周波数帯の中心周波数近傍の周波数を有する信号で、１／ＲＢＷよりも十分短いパルス信号を変調した信号を補正用基準信号として生成するようにしてもよい。
【００６９】
また、本発明においては、補正用基準信号生成部１０をスペクトルアナライザ１から除いて、スペクトルアナライザ１が外部入力端子から補正用基準信号を入力するようにしてもよい。
【符号の説明】
【００７０】
１  スペクトルアナライザ
１０  補正用基準信号生成部
１１、１６  スイッチ
１２  周波数変換部
１３  ＡＤＣ
１４  周波数特性補正部
１５  検波部
１７  制御部
１８  表示部
１９  入力部
２０  減衰器
２１  プリセレクタ
２２、２５  発振器
２３、２６  ミキサ
２４、２７  ＬＰＦ
３０  等化器
３１  等化係数格納部
【図１】
2012198115.tif 000003
【図２】
2012198115.tif 000004
【図３】
2012198115.tif 000005
【図４】
2012198115.tif 000006
【図５】
2012198115.tif 000007